(57)【要約】椅子の背もたれおよび座面に固定し得るよう構成した１対の細長い直立ポストを有する個人用携帯型マッサージレバーである。回動可能に連結したロッドをポストの上端部間に取り付け、このロッドは、使用者が背中をポストに向けて椅子に座るとき、使用者の肩に押し付けてマッサージするよう構成した肩マッサージデバイスを有する。ポストは椅子の背もたれに直接固定する、または椅子の座部に載置するベースに弾性的に固定することができる。
2012508061.tif 000002
【特許請求の範囲】
【請求項１】
個人用携帯型のマッサージレバーであって、
互いに離して配置した堅固で細長い１対のポストと、
これらポストの上端部に隣接して、ポスト間に回動可能に取り付けた細長のロッドと、
椅子の背もたれおよび座部に前記ポストを固定するよう構成した固定手段と、
椅子の前記背もたれおよび座部に前記ポストを固定するとき、前記椅子の前記座面に対向するよう、前記ロッドの側面に取り付けた肩マッサージデバイスと
を備えたことを特徴とするマッサージレバー。
【請求項２】
請求項１に記載のマッサージレバーにおいて、平面状のベースを設け、前記ポストは上端部および下端部を有し、前記ポストの下端部を前記ロッドから離れる位置で、前記ベースに設けたキャビティに突入させたマッサージレバー。
【請求項３】
請求項２に記載のマッサージレバーにおいて、前記ポストの下端部を前記ベースに弾性的に固定したことを特徴とするマッサージレバー。
【請求項４】
請求項１に記載のマッサージレバーにおいて、前記ロッドの下方で前記ポストを相互に連結する支持プレートを有することを特徴とするマッサージレバー。
【請求項５】
請求項１に記載のマッサージレバーにおいて、前記ポストは上端部および下端部を有し、かつ、前記ポストの前記上端部で互いに整列する貫通孔に貫通する貫通ボルトに対して前記ロッドを前記ポスト間で回動可能に取り付けたことを特徴とするマッサージレバー。
【請求項６】
請求項５に記載のマッサージレバーにおいて、前記ポスト間における前記貫通ボルトの外面を円滑なものとしたことを特徴とするマッサージレバー。
【請求項７】
請求項６に記載のマッサージレバーにおいて、前記貫通ボルトは前記ロッド内の孔に貫通するものとし、前記孔の直径を前記貫通ボルトの直径よりもわずかに大きいものとしたマッサージレバー。
【請求項８】
請求項１に記載のマッサージレバーにおいて、前記肩マッサージデバイスは、前記座部に対向する側面に、複数の円滑な隆起を有するものとしたことを特徴とするマッサージレバー。
【請求項９】
請求項１に記載のマッサージレバーにおいて、前記ロッドに取り付けた前記肩マッサージデバイスを、弾性ボールとしたことを特徴とするマッサージレバー。
【請求項１０】
請求項１に記載のマッサージレバーにおいて、前記ポストは上端部および下端部を有し、かつ、互いに離れて整列する複数の孔を前記ポストの前記上端部に沿って貫通させたことを特徴とするマッサージレバー。
【発明の詳細な説明】
【技術分野】
【０００１】
本発明は、人の肩をマッサージする携帯型マッサージ装置に関する。
【背景技術】
【０００２】
従来技術において、様々な運動およびマッサージデバイスが既知である。例えば、手持ち式の指圧デバイス、ならびにマッサージデバイス、器具、機器、および運動用具であり、スライディングおよびローリングデバイスならびに多方向デバイスを含む。また、従来技術は、筋肉疾患を治療するデバイスも教示している。これらデバイスは、とくに背中用に設計されているが、身体の他の部位にも同様に適応することができる。しかし、従来技術において、人の肩に接触してマッサージを行い、肩のマッサージを行う間、人が椅子に座ることができる携帯型の肩マッサージおよび運動デバイスは、教示されていない。
【発明の概要】
【発明が解決しようとする課題】
【０００３】
本発明の目的は、座部および背もたれを有する従来の椅子に迅速かつ簡単に取り付け可能な、また用いる際に調整可能な携帯型の肩マッサージデバイスを提供することにある。
【０００４】
本発明の他の目的は、さらに、椅子の座部上面に取り付けるベースを有するデバイスを提供することで上述の目的を実行し、使用者は、各人の肩にマッサージ機を適用することができるマッサージデバイスを得るにある。
【０００５】
本発明のさらに他の目的は、マッサージを実行する間、椅子の座部に物理的に固定可能な、または椅子の背もたれに固定可能なマッサージデバイスを提供することにある。
【課題を解決するための手段】
【０００６】
これらおよび他の目的は、回動可能に取り付けたマッサージロッドをポスト間に持つ１対の直立ポストを有するマッサージレバーを設けることで達成することができる。ロッドは、使用者の肩頂部の上方に突出する高さに配置する。このとき、使用者は、自身の肩に向けてロッドを回動することで、同部位をマッサージする。
【０００７】
ロッドの高さは調整することができ、ロッドは、マッサージ動作を増大するよう、ロッドに隆起した表面を有し得る。
本発明における上述の特徴および目的を、添付の図面につき説明する、以下の記載を参照することで、より明確となるであろう。
【図面の簡単な説明】
【０００８】
【図１】本発明におけるマッサージレバーの正面図である。
【図２】図１におけるマッサージレバーの側面図である。
【図３】図２におけるライン３−３に沿った図である。
【図４】図１〜図３におけるマッサージレバーの使用状態を示す線図的説明図である。
【図５】図１〜図３におけるマッサージレバーの運用状態を示す線図的説明図である。
【図６】図１〜図５におけるマッサージレバーに弾性ボールを取り付けた状態を示す側面図である。
【図７】図１〜図６におけるマッサージレバーの変更例である。
【発明を実施するための形態】
【０００９】
図面の図１につき説明すると、平面状のベース１１（図３参照）を有するものとしてマッサージレバー１０を示す。マッサージレバー１０（図１参照）は互いに離れる１対の直立ポスト１２，１３を有し、これらポストの断面を正方形とし、ポスト１２，１３における互いに整列した頂部貫通孔１５，１６に貫通ボルト１４を有する。貫通ボルト１４の端部１５′にはねじを形成し、固定ナット１７を受けるようにする。貫通ボルト１４のヘッド１８は、ポスト１２の外側面に当接する。図２に示すように、互いに離れて整列する複数の孔１９をポスト１２，１３に設け、ベース１１に対して貫通ボルト１４の高さを変化させることができるようにする。
【００１０】
図１および図２に示すように、１対のキャビティ２０，２１をベース１１に設け、ポスト１２，１３の下端部を収容する。これらの下端部を、ポスト１２，１３の下端部に設けた貫通孔２４，２５にそれぞれ貫通する弾性部材２２，２３により回動可能に保持し、かつ、図２および図３に示すようにベース１１の下側でこれら弾性部材の端部を互いに結ぶことで固定する。このようにして、ポスト１２，１３は、キャビティ２０，２１内で回動することができ、またベース１１に弾性的に保持される。
【００１１】
ポスト１２，１３において、同様に互いに離れて整列するホール２６，２７をホール２４，２５より上方に設け、弾性の程度を変化させる、または異なる長さおよび弾性の弾性部材を収容するようにする。
【００１２】
図１に示すように、プレート２８をポスト１２，１３にねじ２９により固定し、マッサージレバー１０に支持することができる。
【００１３】
本明細書においてとくに考慮したように、ポスト１２，１３間に位置する貫通ボルト１４の一部は、外表面が円滑であり、細長のマッサージレバーまたはロッド３０における孔３１を貫通する。ロッド３０は、断面が円形であり、ロッド３０の孔３１は、直径が貫通ボルト１４の直径よりもわずかに大きく、貫通ボルト１４に対してロッド３０のある程度の回動運動ができるようにする。
【００１４】
図２に示すように、ロッド３０は細長く円滑に隆起した肩マッサージデバイス３２を有し、この肩マッサージデバイス３２は、肩マッサージデバイス３２およびロッド３０における互いに整列するホール３５，３６および３７，３８に貫通する１個またはそれ以上のねじボルト３３，３４によりロッドの下側に取り付け、またロッド３０に固定する。これら各ボルトを蝶ナット３９，４０によりロッド３０に保持する。
【００１５】
デバイス３２は、以下に理由を説明するように、互いに離れて配置した複数の円滑な隆起４１，４２を下側に有する。
【００１６】
図３に示すように、互いに離して配置した複数の孔４３をベース１１にさせて設け、必要に応じて弾性部材（図示せず）を孔４３から椅子座部の下側まで通過させることにより、このベースを椅子の座部等に固定し、付加的な支持を行うようにする。
【００１７】
図４にマッサージレバー１０の操作状況を示す。ポスト１２，１３を椅子の背もたれ４５に当接させた状態で椅子の座部４４上にベース１１を設置する。使用者は、自身の背をポスト１２，１３に向けてベース１１の頂面に座り、使用者の肩上にマッサージデバイス３２を当てた状態でロッド３０の端部４６を掴む。つぎに、ロッド３０を上下に回動させて、使用者自身の肩をマッサージする。ロッド３０は、貫通ボルト１４に沿ってシフトすることができ、他方の肩をマッサージする。
【００１８】
個別のマッサージデバイス３２の代わりに、ロッド３０自体に隆起部を設けることができる。また、他のマッサージデバイス、例えば貫通孔４８を有する弾性ボール４７（図６参照）を用いることもでき、ロッド３０およびボール４７にそれぞれ設けた互いに整列するホール１９，４８に貫通するボルト４９により固定する。厳密には、図４および図５に示すようにロッド３０を用い、ボール４７が、デバイス３２の代わりに肩マッサージを行う。
【００１９】
図１〜図５においてベース１１を示したが、図７に示すように、ベース１１を除去して、椅子の背もたれにポスト１２，１３を直接固定することができる。
【００２０】
したがって、マッサージレバー５０は、マッサージレバー１０と同一であるが、ベースを持たず、ポスト１２，１３の下端部を座部５１の頂面に当接させた状態で椅子の背もたれ５３に直接固定する。
【００２１】
使用者は、自身の背中をポスト１２，１３に向けて座部５１に座り、マッサージレバー１０と全く同様にマッサージレバー５０を用いる。正確には、図４および図５に示すように、ロッド３０を用いる。
【００２２】
上述の説明は、例示的なものであり、本発明を限定することを意図しない。当業者には、変更例を容易に考えられるであろう。本明細書は、このような変更例全てを包含するものであり、添付の特許請求の範囲における範囲および趣旨によってのみ限定される。
【００２３】
現在において最も実際的かつ好適な実施形態の観点から装置および方法を説明したが、本明細書が開示の実施形態に限定されないことを理解されたい。特許請求の範囲における趣旨および範囲に含まれる多数の変更および同様の配置に適応することを意図しており、このような全ての変更および同様の構造を包含するよう、特許請求の範囲における範囲は幅広い解釈を許容する。本明細書は、従属の特許請求の範囲におけるいかなる全ての実施形態をも包含する。
【図１】
2012508061.tif 000003
【図２】
2012508061.tif 000004
【図３】
2012508061.tif 000005
【図４】
2012508061.tif 000006
【図５】
2012508061.tif 000007
【図６】
2012508061.tif 000008
【図７】
2012508061.tif 000009
【国際調査報告】
2012508061.tif 000010
2012508061.tif 000011